(57)【特許請求の範囲】
【請求項１】
刈払機本体と、刈払機本体を肩に掛けるために支持する肩掛バンドと、からなる肩掛式刈払機において、
刈払機本体が、回転力を発生する回転駆動部と、回転力を受けて回転する切削刃によって切削作業を行う作業部と、回転駆動部と作業部とを連結するとともに、回転駆動部で発生した回転力を作業部に伝達する、棹部と、棹部に固定されたハンドルと、からなっており、
肩掛バンドが、刈払機本体の重心より回転駆動部側において、且つ、ハンドルより回転駆動部側において、棹部に、取り付けられており、
ハンドルより回転駆動部側の、棹部の部分が、一方向に向けて湾曲しており、
上記一方向は、刈払機本体を作業可能となるように肩に掛けた状態において、棹部と切削刃の回転軸とを含む垂直面内における下向きである、
ことを特徴とする肩掛式刈払機。
【請求項２】
肩掛バンドの取付位置より回転駆動部側の、棹部の部分が、上記一方向に向けて湾曲している、
請求項１記載の肩掛式刈払機。
【請求項３】
上記棹部の部分の湾曲角度が、１０〜９０度である、請求項１又は２に記載の肩掛式刈払機。
【請求項４】
上記棹部の部分の湾曲角度が、３０度である、請求項３記載の肩掛式刈払機。
【請求項５】
棹部が、外管と、外管に内嵌したフレキシブルシャフトライナーと、フレキシブルシャフトライナー内に挿入されたフレキシブルシャフトと、からなる三重構造を有し、フレキシブルシャフトが回転することにより回転力を伝達するようになっており、
フレキシブルシャフトライナーが、樹脂製であり、外表面に、円周方向に均等に位置し且つ同じ高さだけ突出した、３個以上の凸部を、有しており、
フレキシブルシャフトライナーは、上記凸部の先端が外管の内壁に当接することにより、外管に内嵌している、
請求項１〜４のいずれか一つに記載の肩掛式刈払機。
【請求項６】
棹部が、外管と、外管に内嵌したフレキシブルシャフトライナーと、フレキシブルシャフトライナー内に挿入されたフレキシブルシャフトと、からなる三重構造を有し、フレキシブルシャフトが回転することにより回転力を伝達するようになっており、
フレキシブルシャフトライナーが、フレキシブルシャフトライナーに外嵌したゴムブッシュを介して外管に内嵌している、
請求項１〜４のいずれか一つに記載の肩掛式刈払機。
【発明の詳細な説明】
【技術分野】
【０００１】
本発明は、肩に掛けた状態で使用する可搬式の刈払機に関するものである。
【背景技術】
【０００２】
従来一般の肩掛式刈払機１０は、図１２に示されるように、刈払機本体１００を肩掛バンド５によって肩に掛けて使用するようになっている。刈払機本体１００は、回転駆動部１と、切削刃２１を有する作業部２と、両者を連結する棹部３と、ハンドル４と、からなっている。棹部３は、回転駆動部１から作業部２まで、一直線状の形態を有している。また、作業者は、ハンドル４を掴んで、刈払機本体１００を操作して、作業部２の高さや角度を制御する。
【先行技術文献】
【特許文献】
【０００３】
【特許文献１】特開２００８−１４２０７２号公報
【特許文献２】特開２００６−３４０６２８号公報
【発明の概要】
【発明が解決しようとする課題】
【０００４】
上記構成の肩掛式刈払機１０では、作業者がハンドル４から手を離すと、ハンドル４自体の重心位置が棹部３よりも下方に位置しようとするために、ハンドル４によって棹部３に軸回りの回転モーメントが働いて、刈払機本体１００が、棹部３を軸として、図１３に示されるように９０度回転したり、図１４に示されるように１８０度回転したりする恐れがあった。それ故、作業者が、作業中に、傾斜地等で、滑ったり転んだり身体のバランスを失ったりして、ハンドル４から手を離すと、切削刃２１が、縦になって地面を削ったり木等に跳ね返ったりして、作業部２が操作不能となり、作業者本人や近くの者に対して危険が及ぶ恐れがあった。そこで、従来から、その対策が種々考えられてきた。
【０００５】
本発明は、上記のような危険の発生を防止できる肩掛式刈払機を、提供することを目的としている。
【課題を解決するための手段】
【０００６】
本発明は、刈払機本体と、刈払機本体を肩に掛けるために支持する肩掛バンドと、からなる肩掛式刈払機において、刈払機本体が、回転力を発生する回転駆動部と、回転力を受けて回転する切削刃によって切削作業を行う作業部と、回転駆動部と作業部とを連結するとともに、回転駆動部で発生した回転力を作業部に伝達する、棹部と、棹部に固定されたハンドルと、からなっており、肩掛バンドが、刈払機本体の重心より回転駆動部側において、且つ、ハンドルより回転駆動部側において、棹部に、取り付けられており、ハンドルより回転駆動部側の、棹部の部分が、一方向に向けて湾曲しており、上記一方向は、刈払機本体を作業可能となるように肩に掛けた状態において、棹部と切削刃の回転軸とを含む垂直面内における下向きである、ことを特徴としている。
【発明の効果】
【０００７】
本発明によれば、肩掛バンドの取付位置を支点として棹部が「やじろべえ」のように釣り合っているので、作業者が作業中にハンドルから手を離しても、ハンドルによる棹部の軸回りの回転モーメントを抑制でき、棹部の軸回りの回転を抑制できる。したがって、棹部が勝手に回転してしまうのを防止して危険の発生を防止できる。
【図面の簡単な説明】
【０００８】
【図１】本発明の肩掛式刈払機の使用状態を示す側面図である。
【図２】両持ちタイプのハンドルの斜視図である。
【図３】棹部の縦断面図である。
【図４】図３のIV−IV断面図である。
【図５】刈払機の側面図であり、作業部の拡大断面図を含む図である。
【図６】別の例の棹部の内部を示す分解斜視図である。
【図７】図６の例の縦断面図である。
【図８】ハンドルの別の例を示す斜視図である。
【図９】ハンドルの更に別の例を示す斜視図である。
【図１０】ハンドルの他の例を示す斜視図である。
【図１１】棹部の別の湾曲形態を示す側面図である。
【図１２】従来の肩掛式刈払機の使用状態を示す側面図である。
【図１３】図１２の刈払機が棹部の軸回りに９０度回転した状態を示す側面図である。
【図１４】図１２の刈払機が棹部の軸回りに１８０度回転した状態を示す側面図である。
【図１５】図１２の刈払機の棹部の断面図である。
【発明を実施するための形態】
【０００９】
図１は、本発明の肩掛式刈払機１０の使用状態を示す側面図である。この刈払機１０は、刈払機本体１００と肩掛バンド５とからなっている。肩掛バンド５は、刈払機本体１００を肩に掛けるために支持するように設けられている。
【００１０】
刈払機本体１００は、回転駆動部１と作業部２と棹部３とハンドル４とからなっている。回転駆動部１は、回転力を発生する。作業部２は、回転駆動部１で発生した回転力を受けることによって切削刃２１が回転して切削作業を行う。棹部３は、回転駆動部１と作業部２とを連結するとともに、回転駆動部１で発生した回転力を作業部２に伝達する。ハンドル４は、棹部３に固定されている。図２は、両持ちタイプのハンドル４の斜視図である。このハンドル４は、両端部に握り部４１を有している。作業者は、ハンドル４を掴んで、刈払機本体１００を操作して、作業部２の高さや角度を調整する。
【００１１】
肩掛バンド５は、刈払機本体１００の重心より回転駆動部２側に、且つ、ハンドル４より回転駆動部２側に、取り付けられている。
【００１２】
肩掛バンド５は、棹部３の軸回りに回動自在に、棹部３に、取り付けられている。これにより、作業者は、ハンドル４を掴んで、刈払機本体１００を棹部３の軸回りに回動操作できる。すなわち、作業者は、地面の傾斜に合わせるように、切削刃２１の傾きを任意に変えることができる。
【００１３】
図３は、棹部３の縦断面図である。図４は、図３のIV−IV断面図である。棹部３は、外管３１とフレキシブルシャフトライナー３２とフレキシブルシャフト３３とからなる三重構造を有しており、フレキシブルシャフト３３が回転することにより回転力を伝達するようになっている。フレキシブルシャフト３３は、フレキシブルシャフトライナー３２内に回転自在に挿入されている。フレキシブルシャフトライナー３２は、樹脂製であり、外表面に、５個の凸部３２１を有している。なお、凸部３２１の数は、５個に限らず、３個以上であればよい。これらの凸部３２１は、円周方向に均等に位置しており、且つ、同じ高さだけ突出している。そして、フレキシブルシャフトライナー３２は、凸部３２１の先端が外管３１の内壁に当接することにより、外管３１に内嵌している。フレキシブルシャフト３３は、一端が回転駆動部１の出力軸（図示せず）に連結されており、他端が作業部２に連結されている。
【００１４】
図５は、刈払機１０の側面図であり、作業部２の拡大断面図を含んでいる。切削刃２１の回転軸２２は、切削刃２１の面２１１が水平状態にある場合に、垂直状態となっている。回転軸２２の上端にはベベルギヤ２２１が固定されている。一方、フレキシブルシャフト３３の上記他端には、ベベルギヤ３３１が固定されている。そして、ベベルギヤ３３１とベベルギヤ２２１とが噛合しており、これにより、フレキシブルシャフト３３の回転が切削刃２１に伝達するようになっている。ベベルギヤ３３１の中心軸Ａとベベルギヤ２２１の中心軸Ｂとが成す角度αは、１２０度である。
【００１５】
そして、本発明では、肩掛バンド５の取付位置Ｘより回転駆動部１側の、棹部３の部分３０Ａが、一方向（矢印Ｙ方向）に向けて湾曲している。肩掛バンド５の取付位置Ｘより作業部２側の、棹部３の部分３０Ｂは、一直線状の形態を有している。上記一方向は、刈払機本体１００を作業可能となるように肩に掛けた状態において、棹部３と切削刃２１の回転軸２２とを含む垂直面３００内における下向きである。そして、部分３０Ｂに対する部分３０Ａの湾曲角度βは、３０度である。これにより、部分３０Ａと部分３０Ｂとは、肩掛バンド５の取付位置Ｘを支点として、垂直面３００内で、且つ、図５の状態で、「やじろべえ」のように釣り合っている。なお、角度αと角度βとは、関連しており、角度βが３０度であることにより、角度αが１２０度であり、これにより、ベベルギヤ２２１、３３１として、一般的なベベルギヤを使用できる。なお、角度βは、３０度に限らず、１０〜９０度であればよい。１０〜９０度であれば、部分３０Ａと部分３０Ｂとが、取付位置Ｘを支点として、垂直面３００内で、「やじろべえ」のように釣り合うことができるからである。
【００１６】
上記構成の刈払機１０は、図１に示されるように、刈払機本体１００を肩掛バンド５によって作業者の肩に掛けた状態で、回転駆動部１を始動すると、その回転力がフレキシブルシャフト３３によって切削刃２１に伝達され、切削刃２１による切削作業を行う。その際、作業者は、ハンドル４を掴み、棹部３を軸回りに回動させることにより、切削刃２１の面２１１を地面の傾斜に合わせるように操作できる。
【００１７】
そして、上記構成の刈払機１０においては、棹部３の部分３０Ａと部分３０Ｂとが取付位置Ｘを支点として垂直面３００内で「やじろべえ」のように釣り合っているので、作業者が作業中にハンドル４から手を離しても、ハンドル４による棹部３の軸回りの回転モーメントが、抑制され、棹部３の軸回りの回転が抑制される。それ故、上記構成の刈払機１０によれば、作業者が作業中にハンドル４から手を離した場合でも、刈払機本体１００が、棹部３を軸として、図１３に示されるように９０度回転したり、図１４に示されるように１８０度回転したりするのを、防止でき、したがって、作業者本人や近くの者に対する危険の発生を防止できる。
【００１８】
更に、上記構成の刈払機１０においては、特別な構成を設けなくても、フレキシブルシャフトライナー３２がフレキシブルシャフト３３に連れられて回転してしまうのを、防止できる。すなわち、図１２に示されるような棹部３の全部が一直線状の形態を有している刈払機１０においては、フレキシブルシャフトライナー３２がフレキシブルシャフト３３に連れられて回転してしまうのを防止するために、図１５に示されるように、外管３１の内壁に、フレキシブルシャフトライナー３２の凸部３２１の先端部が円周方向から当接する凸部３１１が、形成されている。しかしながら、上記構成の刈払機１０においては、棹部３が湾曲しているため、フレキシブルシャフトライナー３２の回転が抑制される。よって、上記構成の刈払機１０においては、特別な構成を設けなくても、フレキシブルシャフトライナー３２がフレキシブルシャフト３３に連れられて回転してしまうのを、防止できる。
【００１９】
なお、棹部３は、図６及び図７に示される内部構造を有してもよい。この例では、フレキシブルシャフトライナー３２が、フレキシブルシャフトライナー３２に外嵌したゴムブッシュ３５、３６を介して外管３１に内嵌している。ゴムブッシュ３５、３６は、フレキシブルシャフト３３の回転により発生する振動を緩衝するように機能する。凸部３２１は、４個設けられており、円周方向に均等に位置しており、同じ高さだけ突出している。その高さは、外管３１の内壁に当接しない寸法である。対向する一対の凸部３２１には、長手方向の所定間隔置きに、切欠き３２２が形成されている。ゴムブッシュ３５、３６は、切欠き３２２の位置に外嵌している。その際、切欠き３２２が形成されていない一対の凸部３２１は、ゴムブッシュ３５、３６の内面の溝３５１、３６１に嵌っている。なお、ゴムブッシュ３５は、外面に、溝３５２で隔てられた周面部３５３を有しており、周面部３５３が外管３１の内壁に当接することにより、外管３１に内嵌している。ゴムブッシュ３６は、外面に、円周方向の一方向に傾斜して突出した凸部３６２を複数個（ここでは８個）有しており、ゴムブッシュ３６は、凸部３６２の先端が外管３１の内壁に当接することにより、外管３１に内嵌している。この棹部３の場合でも、棹部３が湾曲しているため、フレキシブルシャフトライナー３２の回転が抑制される。よって、この棹部３を用いた刈払機１０においても、特別な構成を設けなくても、フレキシブルシャフトライナー３２がフレキシブルシャフト３３に連れられて回転してしまうのを、防止できる。
【００２０】
また、上記構成の刈払機１０は、例えば、図８に示されるようなループタイプのハンドル４、又は、図９に示されるようなＵ字タイプのハンドル４、又は、図１０に示されるような片持ちタイプのハンドル４を、採用してもよい。
【００２１】
また、上記構成の刈払機１０では、肩掛バンド５の取付位置Ｘより回転駆動部１側の、棹部３の部分３０Ａが、湾曲しているが、図１１に示されるように、ハンドル４より回転駆動部１側の、棹部３の部分３０Ｃが、湾曲してもよい。
【産業上の利用可能性】
【００２２】
本発明の肩掛式刈払機は、棹部が勝手に回転してしまうのを防止して危険の発生を防止できるので、産業上の利用価値が大である。
【符号の説明】
【００２３】
１  回転駆動部  ２  作業部  ２１  切削刃  ３  棹部  ３０Ａ、３０Ｂ、３０Ｃ  部分  ３１  外管  ３２  フレキシブルシャフトライナー  ３３  フレキシブルシャフト  ３２１  凸部  ４  ハンドル  ５  肩掛バンド  １０  肩掛式刈払機  １００  刈払機本体
【図１】
0005350354.tif 000002
【図２】
0005350354.tif 000003
【図３】
0005350354.tif 000004
【図４】
0005350354.tif 000005
【図５】
0005350354.tif 000006
【図６】
0005350354.tif 000007
【図７】
0005350354.tif 000008
【図８】
0005350354.tif 000009
【図９】
0005350354.tif 000010
【図１０】
0005350354.tif 000011
【図１１】
0005350354.tif 000012
【図１２】
0005350354.tif 000013
【図１３】
0005350354.tif 000014
【図１４】
0005350354.tif 000015
【図１５】
0005350354.tif 000016